(57)【要約】【課題】  本発明は、安価なコストで強度と高級感のある本が得られ、さらに本を開いた時の見開き状態がフラット状になる本を提供すること。【解決手段】  印刷物を複数回折り畳んで複数枚の紙片からなる刷り本を作製する折り工程と、折り工程を経た刷り本を複数枚重ね合わせて整列させる丁合い工程と、丁合い工程を経た刷り本の各紙片の喉部を糸で綴じる糸綴じ工程と、糸綴じ工程を経た刷り本の余端部を断截する化粧断ち工程と、化粧断ち工程を経た刷り本の背部に、背部の束寸法よりやや大きめの幅寸法からなる寒冷紗を接着剤を介して貼着し、さらにその寒冷紗の上面に背部の束寸法と略同寸の幅寸法からなるシワ紙を接着剤を介して貼着する背部形成工程と、刷り本の背部の束寸法に合わせて表紙にスジ押し加工を行うスジ押し加工工程と、この表紙を刷り本の背部とは接着しない状態にして、刷り本の見返しページと表紙とを全面接着する表紙取付工程とからなる。【選択図】図１
2011131392.tif 000002
【特許請求の範囲】
【請求項１】
印刷物を複数回折り畳んで複数枚の紙片からなる刷り本を作製する折り工程と、折り工程を経た刷り本を複数枚重ね合わせて整列させる丁合い工程と、丁合い工程を経た刷り本の各紙片の喉部を糸で綴じる糸綴じ工程と、糸綴じ工程を経た刷り本の余端部を断截する化粧断ち工程と、化粧断ち工程を経た刷り本の背部に、背部の束寸法よりやや大きめの幅寸法からなる寒冷紗を接着剤を介して貼着し、さらにその寒冷紗の上面に背部の束寸法と略同寸の幅寸法からなるシワ紙を接着剤を介して貼着する背部形成工程と、刷り本の背部の束寸法に合わせて表紙にスジ押し加工を行うスジ押し加工工程と、この表紙を刷り本の背部とは接着しない状態にして、刷り本の見返しページと表紙とを全面接着する表紙取付工程とからなることを特徴とする製本システム。
【請求項２】
上記の表紙取付工程の後に第二回目の断截を行う最終化粧断ち工程を行うことを特徴とする請求項１記載の製本システム。
【請求項３】
上記の表紙取付工程の前に、栞を取り付けるための栞取付工程を行うことを特徴とする請求項１又は２記載の製本システム。
【発明の詳細な説明】
【技術分野】
【０００１】
本発明は、安価なコストで強度と高級感のある本が得られ、さらに本を開いた時の見開き状態がフラット状になって安定するため、見開きページが読み易くなりかつ不用意に閉じたりしない本を提供する製本システムに関する。
【背景技術】
【０００２】
本は、通常、束ねた複数枚の紙片（刷り本）を所要幅を有する綴じ代を確保し、その部分を糸で綴じる為、本の喉部までフラット状に開くことが困難であった。
さらには、束ねた紙片の背部にホットメルトを塗布し、表紙と紙片を直接その背部で貼着した並製本（簡易製本）も提案されている。
【先行技術文献】
【特許文献】
【０００３】
【特許文献１】登録実用新案第３１０４５２１号公報
【特許文献２】特開平７−１３７４７９号公報
【発明の概要】
【発明が解決しようとする課題】
【０００４】
上記に説明した並製本のものは、紙片の背部に表紙を直接貼着させるものであることから、比較的フラット状に開き易くなるが、本の強度は著しく低下し、ホットメルトの劣化などにより紙片の背部が表紙から簡単に剥離して脱落するという問題点があった。
【０００５】
本発明は、安価なコストで強度と高級感のある本を得ることができ、かつ本を開いた時の見開き状態がフラット状になって安定し、見開きページが読み易くなり不用意に閉じたりしないという本を提供して上記の全ての問題を解決した製本システムを提供せんとするものである。
【課題を解決するための手段】
【０００６】
本発明に係る製本システムの請求項１のものは、印刷物を複数回折り畳んで複数枚の紙片からなる刷り本を作製する折り工程と、折り工程を経た刷り本を複数枚重ね合わせて整列させる丁合い工程と、丁合い工程を経た刷り本の各紙片の喉部を糸で綴じる糸綴じ工程と、糸綴じ工程を経た刷り本の余端部を断截する化粧断ち工程と、化粧断ち工程を経た刷り本の背部に、背部の束寸法よりやや大きめの幅寸法からなる寒冷紗を接着剤を介して貼着し、さらにその寒冷紗の上面に背部の束寸法と略同寸の幅寸法からなるシワ紙を接着剤を介して貼着する背部形成工程と、刷り本の背部の束寸法に合わせて表紙にスジ押し加工を行うスジ押し加工工程と、この表紙を刷り本の背部とは接着しない状態にして、刷り本の見返しページと表紙とを全面接着する表紙取付工程とからなることを特徴とする製本システムである。
【０００７】
請求項２のものは、上記の表紙取付工程の後に第二回目の断截を行う最終化粧断ち工程を行うことを特徴とする請求項１記載の製本システムである。
【０００８】
請求項３のものは、上記の表紙取付工程の前に、栞を取り付けるための栞取付工程を行うことを特徴とする請求項１又は２記載の製本システムである。
【発明の効果】
【０００９】
本発明に係る製本システムは、安価なコストで強度と高級感のある本が得られるという効果を発揮し、さらに本を開いた時の見開き状態がフラット状になって、見開きページが読み易くなりかつ不用意に閉じたりしないという優れた効果を発揮する。
【図面の簡単な説明】
【００１０】
【図１】本発明にかかる製本システムの作業の工程の順序を示す模式図である。
【図２】本発明にかかる製本システムで得られた本の見開き状態を示す正面図である。
【発明を実施するための形態】
【００１１】
図面に示す実施例に基づき、本発明の製本システムを説明する。
本発明では、まず大きな紙に印刷を施し、その紙を複数回折り畳んで８ページ、１６ページなどの適宜ページ数の複数枚の紙片からなる刷り本１を作製する（折り工程Ａ）。
【００１２】
つぎにこの刷り本１を複数枚重ね合わせて、整列させながらページ揃えを行う（丁合い工程Ｂ）。
【００１３】
丁合い工程Ｂを経た刷り本１の各紙片の喉部２を、喉部２から外れないように各刷り本１が連接されるように糸３で綴じて、刷り本１の強度を確保する（糸綴じ工程Ｃ）。
糸３は刷り本１の喉部２だけにかかるように綴じられるため、糸３が本の見開き時に邪魔にならず、かつ糸３の存在で刷り本１の結束が強固なものとなり、見開きページをフラット状に開くことが可能となる。
【００１４】
糸綴じ工程Ｃを経た刷り本１の背部６以外の全部又は一部の辺の端部を綺麗に揃えるために余端部を断裁する（化粧断ち工程Ｄ）。符号４は、断裁された断截余端部である。
【００１５】
ついで化粧断ち工程Ｄを経た刷り本１の背部６に、背部６の束寸法よりやや大きめの幅寸法からなる寒冷紗８を接着剤を介して貼着し、さらにその寒冷紗８の上面に背部６の束寸法と略同寸の幅寸法からなるシワ紙７を接着剤を介して１〜３枚程度貼着する（背部形成工程Ｅ）。
寒冷紗８は、ポリエステル素材、ビニロン素材又は綿素材等からなる目の粗いガーゼ状の薄い生地で形成されているため、生地の目に接着剤が進入して接着効果を高め、かつ背部の強度を高める効果を発揮する。
【００１６】
その後、刷り本１の背部６の束寸法に合わせて表紙９にスジ１０を形成するスジ押し加工を行う（スジ押し加工工程Ｆ）。
【００１７】
この表紙９を刷り本１の背部６とは接着しない状態にして、刷り本１の見返しページ５と表紙９とを全面接着（ベタ塗り）する（表紙取付工程Ｇ）。
このように見返しページ５と表紙９とを全面接着することで、表紙９の強度が一層向上しかつ本の高級感がかもし出される。特に従来の上製本のように表紙９にカバーを貼ったりする必要がなく、かつ表紙９の芯となるボール紙などを備えなくても同等の効果を発揮できるので、本の製造コストを安価にすることが可能となる。
【００１８】
また刷り本１の背部６は、表紙９と接着しない状態となっているため、完成本１１が厚さのある本であった場合でも、背部６が表紙９に拘束されることなく自由に変形できるので見開き状態をフラット状にし易いという効果を発揮する（図２参照）。
【００１９】
さらに本発明においては、必要に応じて完成本１１を得る前に、刷り本１の背部６以外の全部又は一部の辺の端部を綺麗に揃えるために余端部を最終断裁する（最終化粧断ち工程Ｈ）。符号４は、断裁された断截余端部である。
【００２０】
さらに本発明においては、必要に応じて完成本１１を得る前に、刷り本１の背部６と表紙９の間に栞１２を取り付けることもできる（栞取付工程Ｉ）。図２に示す栞１２の存在により、一層便利な完成本１１が得られる。
【産業上の利用可能性】
【００２１】
本発明によれば、製本を行う業界において利用することができる。
【符号の説明】
【００２２】
１    刷り本
２    喉部
３    糸
４    断截余端部
５    見返しページ
６    本の背部
７    シワ紙
８    寒冷紗
９    表紙
１０    表紙に形成するスジ
１１    完成本
１２    栞
Ａ  折り工程
Ｂ  丁合い工程
Ｃ  糸綴じ工程
Ｄ  化粧断ち工程
Ｅ  背部形成工程
Ｆ  スジ押し加工工程
Ｇ  表紙取付工程
Ｈ  最終化粧断ち工程
Ｉ  栞取付工程
【図１】
2011131392.tif 000003
【図２】
2011131392.tif 000004